(57)【要約】【課題】ガラスと設置面との段差が小さくなるように照明装置を設置することが可能となるガラスユニット及びこのようなガラスユニットを備えた照明装置を提供することが可能となる。【解決手段】端部に段差を有するガラス部材３２と、第二ガラス板３２ｂの表面側に配置された緩衝部材３４とを、上面部３６ａと下面部３６ｂとで挟持することで、上面部３６ａの表面と第一ガラス板３２ａの表面との段差を低減することができ、上面部３６ａの表面と設置面との段差を小さくすることができる。【選択図】図１
2015167091.tif 000002
【特許請求の範囲】
【請求項１】
第一ガラス板と、前記第一ガラス板の裏面側に位置する第二ガラス板と、を有し、前記第一ガラス板の表面積より前記第二ガラス板の表面積が大きいことによって段差が形成される状態で前記第一ガラス板と前記第二ガラス板とが中間膜を介して接着された合わせガラス部材と、
前記第二ガラス板の表面側に配置される緩衝部材と、
前記ガラス部材の側面の少なくとも一部を覆う壁面と、前記壁面の上部が内側方向に突出する上面部と、を有する枠体と、
前記枠体の壁面に固定される、Ｌ字形状の固定部材と、
を備え、
前記上面部が前記緩衝部材の少なくとも一部を覆い、前記固定部材が前記第二ガラス板の裏面側の少なくとも一部を覆うことで、前記ガラス部材が挟持されることを特徴とする、
ガラスユニット。
【請求項２】
前記上面部は、前記緩衝部材の表面側全体を覆い、前記第一ガラス板の表面側を覆わないことを特徴とする、
請求項１に記載のガラスユニット。
【請求項３】
前記上面部の表面側と前記第一ガラス板の表面側とが同一平面上に位置することを特徴とする、
請求項１又は２に記載のガラスユニット。
【請求項４】
前記中間膜は、文字又は図形を含む模様を有していることを特徴とする、
請求項１から３のいずれか１項に記載のガラスユニット。
【請求項５】
請求項１から４のいずれか１項に記載のガラスユニットと、
前記ガラスユニットの裏面側に配置され、側面から入射した光を主に主面側に拡散する導光板と、
前記導光板の側面側に配置され、前記導光板の側面に光を照射する光源部材と、
を備えることを特徴とする、
照明装置。
【請求項６】
請求項５に記載の照明装置であって、
前記ガラスユニット、前記導光板及び前記光源部材を収納可能な収納枠と、
前記収納枠の内部に設けられた第一ねじ孔と、
前記第一ねじ孔と螺合する雄ねじと、
を更に備え、
前記上面部は、表面側の直径が前記雄ねじの頭の直径よりも長く、裏面側の直径が前記雄ねじの頭の直径よりも短い第二ねじ孔を有し、
前記雄ねじの一部が前記第二ねじ孔を貫通して前記第一ねじ孔と螺合することで、前記収納枠と前記ガラスユニットとが固定されることを特徴とする、
照明装置。
【請求項７】
前記第二ねじ孔は、前記雄ねじの頭の高さよりも深いことを特徴とする、
請求項６に記載の照明装置。
【請求項８】
請求項５から７のいずれか１項に記載の照明装置であって、
前記導光板の側面にあって側面側に突出するように設けられた第一突出部と係合する係合孔と、前記枠体に設けられた切欠部と嵌合する嵌合部と、を有し、前記導光板と前記ガラスユニットとを位置決めする位置決め部材と、
を更に備えることを特徴とする、
照明装置。  
【請求項９】
請求項８に記載の照明装置であって、
前記ガラスユニットと前記導光板との間に位置し、側面側に突出する第二突出部を有する乳半板と、
を更に備え、
前記位置決め部材は、前記係合孔が前記第二突出部と更に係合することにより、前記乳半板を位置決めすることを特徴とする、
照明装置。
【請求項１０】
請求項８又は９に記載の照明装置であって、
前記導光板の裏面側に位置し、側面側に突出する第三突出部を有し、前記導光板で裏面側に拡散された光を前記導光板側に反射する反射部材と、
を更に備え、
前記位置決め部材は、前記係合孔が前記第三突出部と更に係合することにより、前記反射部材を位置決めすることを特徴とする、
照明装置。
【発明の詳細な説明】
【技術分野】
【０００１】
本発明は、ガラスユニット及びガラスユニットを備えた照明装置に関する。
【背景技術】
【０００２】
従来から、床面に埋設される照明装置が種々知られている。例えば、特許文献１には、導光板の上面側に強化ガラスと表示板とからなる透光性部材を配置し、強化ガラスの縁部を弾性体のパッキンを挟んで枠体によって下方に押圧することで、強化ガラスの上面が床面に面位置になるように配置した照明装置が記載されている。
【先行技術文献】
【特許文献】
【０００３】
【特許文献１】特開２０１２−１８７５９号公報
【発明の概要】
【発明が解決しようとする課題】
【０００４】
しかしながら、こうした照明装置では、強化ガラスを導光板に押圧しているため、外部から強化ガラスに衝撃が与えられた場合には、この衝撃が導光板まで伝わることとなり、導光板が破損する可能性があったり、導光板が光源や外部の熱等によって膨張した場合には導光板が破損する可能性があったりするという課題がある。また、強化ガラスの縁部に弾性体のパッキンが挟まれているため、枠体と強化ガラスとの境界に段差が生じる可能性があるという課題がある。
【０００５】
本発明は、このような課題に鑑みなされたものであり、表面のガラスと導光板とが接することなく、ガラスと設置面との段差が小さくなるように照明装置を設置することが可能となるガラスユニットを提供することを主目的とする。また、このようなガラスユニットを備えた照明装置を提供することを主目的とする。
【課題を解決するための手段】
【０００６】
本発明は、上述の主目的の少なくとも１つを達成するために以下の手段を採った。
【０００７】
本発明のガラスユニットは、
第一ガラス板と、前記第一ガラス板の裏面側に位置する第二ガラス板と、を有し、前記第一ガラス板の表面積より前記第二ガラス板の表面積が大きいことによって段差が形成される状態で前記第一ガラス板と前記第二ガラス板とが中間膜を介して接着された合わせガラス部材と、
前記第二ガラス板の表面側に配置される緩衝部材と、
前記ガラス部材の側面の少なくとも一部を覆う壁面と、前記壁面の上部が内側方向に突出する上面部と、を有する枠体と、
前記枠体の壁面に固定される、Ｌ字形状の固定部材と、
を備え、
前記上面部が前記緩衝部材の少なくとも一部を覆い、前記固定部材が前記第二ガラス板の裏面側の少なくとも一部を覆うことで、前記ガラス部材が挟持されることを特徴とするものである。
【０００８】
このガラスユニットは、第一ガラス板と第二ガラス板との２枚のガラス板が側面側に段差が形成された状態で中間膜を介して接着された合わせガラス部材と、第二ガラス板の表面側に設けられた緩衝部材とが、枠体の上面部と固定部材とによって挟持されている。このとき、枠体の上面部で緩衝部材の少なくとも一部が覆われ、枠体に固定された固定部材で第二ガラス板の裏面側の少なくとも一部が覆われることで、緩衝部材と共にガラス部材を挟持する。こうすることにより、第一ガラス板の表面に緩衝部材が設けられている場合と比較して、第一ガラス板の表面と上面部の表面との段差を小さくすることができる。このため、上面部の表面と設置面とが略同一となるように設置した場合には、設置面と第一ガラス板の表面との段差を小さくすることができる。
【０００９】
また、本発明のガラスユニットにおいて、前記上面部は、前記緩衝部材の表面側全体を覆い、前記第一ガラス板の表面側を覆わないことを特徴としてもよい。こうすれば、ガラスユニットの第二ガラス板側から光を照射した場合には、上面部が第一ガラス板の表面側を覆わないため、第一ガラス板の表面から照射される光が上面部によって遮蔽されることが無く、第一ガラス板の表面側から出射される光を上面部で遮ることなく外部に導くことができる。
【００１０】
更に、本発明のガラスユニットにおいて、前記上面部の表面側と前記第一ガラス板の表面側とが同一平面上に位置することを特徴としてもよい。こうすれば、上面部の表面と設置面の表面とが略同一なるように設置した場合には、設置面と第一ガラス板の表面とが略同一に設置されることになり、第一ガラス板の表面と設置面とを略同一にすることができる。
【００１１】
更にまた、本発明のガラスユニットにおいて、前記中間膜は、文字又は図形を含む模様を有していることを特徴としてもよい。こうすれば、例えば、中間膜の全体に梨地模様のようなシボ加工を行った場合には、中間膜によって外部から第二ガラス板側への視認性を低下させることができる。また、ガラスユニットの第二ガラス板側から光を照射した場合には、中間膜によって文字又は図形を含む様々な情報を表現することができる。このように、別途意匠を形成することなく、優れた意匠性を得ることができる。
【００１２】
本発明の照明装置は、
上述したいずれかに記載のガラスユニットと、
前記ガラスユニットの裏面側に配置され、側面から入射した光を主に主面側に拡散する導光板と、
前記導光板の側面側に配置され、前記導光板の側面に光を照射する光源部材と、
を備えることを特徴とするものである。
【００１３】
この照明装置は、光源部材から照射された光が導光板によって拡散され、ガラスユニットを通過して出射される。このとき、上述したいずれかに記載のガラスユニットを備えることで、上述したガラスユニットの有する効果、例えば、第一ガラス板の表面に緩衝部材が設けられている場合と比較して、第一ガラス板の表面と上面部の表面との段差を小さくすることや、上面部の表面と設置面とが略同一となるように設置した場合には、設置面と第一ガラス板の表面との段差を小さくすることができるという効果を得ることができる。
【００１４】
また、本発明の照明装置は、前記ガラスユニット、前記導光板及び前記光源部材を収納可能な収納枠と、前記収納枠の内部に設けられた第一ねじ孔と、前記第一ねじ孔と螺合する雄ねじと、を更に備え、  前記上面部は、表面側の直径が前記雄ねじの頭の直径よりも長く、裏面側の直径が前記雄ねじの頭の直径よりも短い第二ねじ孔を有し、前記雄ねじの一部が前記第二ねじ孔を貫通して前記第一ねじ孔と螺合することで、前記収納枠と前記ガラスユニットとが固定されることを特徴としてもよい。こうすることにより、固定時には雄ねじで枠体とガラスユニットとを固定することができると共に、雄ねじを外して、第二ねじ孔と螺合するねじを別途使用することにより、容易にガラスユニットを枠体から取り外すことができる。この効果は、ガラスユニットの表面と設置面の表面とが略同一平面となるように設置した場合にガラスユニットを取り外す際に、より効果が大きい。
【００１５】
更に、本発明の照明装置において、前記第二ねじ孔は、前記雄ねじの頭の高さよりも深いことを特徴としてもよい。こうすえば、雄ねじでガラスユニットと固定部材とを固定した際、雄ねじの頭が第二ねじ孔に埋没することになるため、ガラスユニットの表面側に雄ねじの一部が突出する可能性を未然に低減することができ、表面側の一部が突出することなく、整然とした美観を演出することができる。
【００１６】
更にまた、本発明の照明装置は、前記導光板の側面にあって、側面側に突出するように設けられた第一突出部と係合する係合孔と、前記枠体に設けられた切欠部と嵌合する嵌合部と、を有し、前記導光板と前記ガラスユニットとを位置決めする位置決め部材と、を更に備えることを特徴としてもよい。こうすれば、位置決め部材に設けられた係合孔に導光板の第一突出部を、嵌合部に枠体の切欠部を、それぞれ取り付けることにより、導光板とガラスユニットとを容易に固定することができる。
【００１７】
この態様を採用した本発明の照明装置において、前記ガラスユニットと前記導光板との間に位置し、側面側に突出する第二突出部を有する乳半板と、を更に備え、前記位置決め部材は、前記係合孔が前記第二突出部と更に係合することにより、前記乳半板を位置決めすることを特徴としてもよい。こうすれば、位置決め部材で導光板と固定部材を位置決めする際に、乳半板も同時に位置決めすることができる。
【００１８】
また、この態様を採用した本発明の照明装置において、前記導光板の裏面側に位置し、側面側に突出する第三突出部を有し、前記導光板で裏面側に拡散された光を前記導光板側に反射する反射部材と、を更に備え、前記位置決め部材は、前記係合孔が前記第三突出部と更に係合することにより、前記反射部材を位置決めすることを特徴としてもよい。こうすれば、位置決め部材で導光板と固定部材を位置決めする際に、更に反射部材も同時に位置決めすることができる。
【図面の簡単な説明】
【００１９】
【図１】図１は、照明装置２０の構成の概略を示す分解斜視図である。
【図２】図２は、ガラスユニット３０の構成の概略を示す分解斜視図である。
【図３】図３は、導光部４０の構成の概略を示す分解斜視図である。
【図４】図４は、照明装置２０の構成の概略を示す正面図である。
【図５】図５は、図４中のＢ部の拡大図（図５Ａ）及びＣ−Ｃ断面図（図５Ｂ）である。
【図６】図６は、照明装置２０の図４中のＡ−Ａ断面を示す断面図及び下部の部分拡大断面図である。
【図７】図７は、照明装置２０の外観を示しており、図７Ａが照明装置２０の底面図であり、図７Ｂが照明装置２０の右側面図であり、図７ＣがＥ部の部分拡大図である。
【図８】図８は、光源ユニット５０の構成の概略を示す斜視図である。
【図９】図９は、位置決め部材６０の構成の概略を示す斜視図である。
【図１０】図１０は、他の実施の形態のガラス部材３２の構成の概略を示す斜視図である。
【図１１】図１１は、拡散ドット４２のバリエーションを説明するための部分拡大斜視図である。
【発明を実施するための形態】
【００２０】
次に、本発明の実施の形態の一例として、照明装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、照明装置２０の組み立て方法を説明することにより、本発明のガラスユニット及び照明装置の製造方法の一例も明らかにする。
【００２１】
照明装置２０は、図１に示すように、主に、ガラスユニット３０と、ガラスユニット３０の方向に光を拡散する導光部４０と、ガラスユニット３０と導光部４０との間に配置される乳半板２６と、が収納枠２２に収容されてなる。この照明装置２０では、導光部４０で拡散された光が、ガラスユニット３０を経て照射される。なお、ここで図１は、照明装置２０の分解斜視図であり、照明装置２０の正面図を図４に、照明装置２０の背面図を図５Ａに、照明装置２０の右側面図を図５Ｂに、それぞれします。なお、照明装置２０の上面、背面、左側面は照明装置２０の右側面と同様に表れるため、ここではその図面を省略する。
【００２２】
ガラスユニット３０は、図２に示すように、第一ガラス板３２ａと第二ガラス板３２ｂとが中間膜３３を介して接着されたガラス部材３２と、第二ガラス板３２ｂの表面側に配置された緩衝部材３４とが、枠体３６の上面部３６ａと固定部材３８とによって挟持されたものである。このとき、第一ガラス板３２ａの表面と第二ガラス板３２ｂの表面との間に緩衝部材３４が配置可能な段差が形成されている。このため、上面部３６ａと固定部材３８とで挟持する際に、緩衝部材３４が第一ガラス板３２ａと第二ガラス板３２ｂとによって形成される段差に収まることになる。
【００２３】
ガラス部材３２は、図２に示すように、第一ガラス板３２ａと第二ガラス板３２ｂとが中間膜３３を介して接着された合わせガラスである。このとき、第一ガラス板３２ａの主面の面積は、第二ガラス板３２ｂの主面の面積よりも小さく形成されており、第一ガラス板３２ａの主面と第二ガラス板３２ｂの主面とで四方周囲に段差が形成されるように第一ガラス板３２ａと第二ガラス板３２ｂは接着されている。なお、第一ガラス板３２ａと第二ガラス板３２ｂとの段差は、少なくとも一方の側面側にのみ設けられていても、対向する一対の側面側にそれぞれ設けられていても良い。
【００２４】
中間膜３３は、図２に示すように、第一ガラス板３２ａと第二ガラス板３２ｂとを接着するための膜であり、第一ガラス板３２ａと第二ガラス板３２ｂとを接着可能な物であって、透光性を有する樹脂であれば、特に限定されるものではない。中間膜３３としては、例えば、ポリプロピレン（ＰＰ）、ポリスチレン（ＰＳ）、ポリエチレン（ＰＥ）、ポリブチレンテレフタレート（ＰＢＴ）、セルロースアセテート（ＣＡ）、ジアリルフタレート樹脂（ＤＡＰ）、エチレン酢酸ビニル共重合体（ＥＶＡ）、メタクリル樹脂（ＰＭＡ）、ポリ塩化ビニル（ＰＶＣ）、ポリエチレンテレフタレート（ＰＥＴ）、ユリア樹脂（ＵＰ）、メラミン樹脂（ＭＦ）、不飽和ポリエステル（ＵＰ）、ポリビニルブチラール（ＰＶＢ）、ポリビニルホルマール（ＰＶＦ）、ポリビニルアルコール（ＰＶＡＬ）、酢酸ビニル樹脂（ＰＶＡｃ）、アイオノマー（ＩＯ）、ポリメチルペンテン（ＴＰＸ）、塩化ビニリデン（ＰＶＤＣ）、ポリスルフォン（ＰＳＦ）、ポリフッ化ビニリデン（ＰＶＤＦ）、メタクリル−スチレン共重合樹脂（ＭＳ）、ポリアレート（ＰＡＲ）、ポリアリルスルフォン（ＰＡＳＦ）、ポリブタジエン（ＢＲ）、ポリエーテルスルフォン（ＰＥＳＦ）、ポリエーテルエーテルケトン（ＰＥＥＫ）等の樹脂が好ましい。このうち、ポリビニルブチラール系樹脂（ＰＶＢ系樹脂）、エチレン−酢酸ビニル共重合体系樹脂（ＥＶＡ系樹脂）は、適度に柔らかく、ガラス材料に対する密着性が高いため、より好ましい。また、中間膜３３には、紫外線遮蔽材料や、顔料等が含まれていても良い。このように、第一ガラス板３２ａと第二ガラス板３２ｂとを中間膜３３を介して接着することで、ガラス部材が破損する可能性を未然に低減したり、ガラス部材３２が破損した場合に破片が飛散する可能性を未然に低減したりすることができる。また、中間膜３３に紫外線遮蔽材料が含まれている場合には、導光板４１に照射される紫外線量を低減し、導光板４１の劣化や紫外線による変質等を未然に防ぐことができ、中間膜３３に所望の色の顔料を混ぜることで、所望の色を演出することができる。
【００２５】
緩衝部材３４は、図２に示すように、第二ガラス板３２ｂの表面側で第一ガラス板３２ａを囲むように配置された略直方体形状であって、ガラス部材３２を挟持する際に使用される弾性を有する部材であり、種々のシーリング材を使用することができる。例えば、天然ゴムや合成ゴム、シリコーン樹脂やポリウレタン系樹脂等の種々の樹脂を使用することができる。この緩衝部材３４は、第一ガラス板３２ａと第二ガラス板３２ｂとの段差に配置され（図５参照）、上面部３６ａと固定部材３８とでガラス部材３２を挟持する際に、上面部３６ａとガラス部材３２との間に位置することにより、挟持した際に緩衝部材３４が圧縮され、ガラス部材３２が破損する可能性を未然に低減することができる。また、この緩衝部材３４は、第一ガラス板３２ａの厚さと略同一又はやや低い高さで形成されている。こうすることにより、上面部３６ａが緩衝部材３４を介してガラス部材３２を挟持した際、上面部３６ａの表面側と第一ガラス板３２ａの表面側とが、略同一平面を形成することになるため、表面側が段差を小さくし、優れた美観を演出することができる。
【００２６】
枠体３６は、図２に示すように、ガラス部材３２の周囲を囲む枠体であって、ガラス部材３２の側面を覆う壁面３６ｂと、壁面３６ｂの上部から内側方向に延出する延出面である上面部３６ａを形成している。この上面部３６ａは、ガラス部材３２の表面側に配置された際、第二ガラス板３２ｂの表面を覆う位置であって、第一ガラス板３２ａの表面を覆わない位置に設けられている。言い換えると、上面部３６ａは枠体３６から内側方向に第一ガラス板３２ａと第二ガラス板３２ｂとによってガラス部材３２の側面側に形成された段差を覆う長さだけ延出している。こうすることにより、上面部３６ａでガラス部材３２を挟持した際には、第二ガラス板３２ｂの表面側に設けられた緩衝部材３４が覆われた状態で押圧されることになり、緩衝部材３４が外側から視認される可能性を低減し、優れた美観を演出することができる。また、緩衝部材３４が枠体３６の上面部３６ａと固定部材３８とに挟持されることで圧縮された状態の高さと上面部３６ａの厚さの和が第一ガラス板３２ａと第二ガラス板３２ｂとの段差の値と略同一となる場合には、第一ガラス板３２ａの表面と上面部３６ａとが略同一平面上に位置することになり、優れた美観を演出することができる。更に、枠体３６の略中央位置には裏面側より切欠部３９が設けられており、この切欠部３９は、後述する位置決め部材６０が嵌合する。
【００２７】
固定部材３８は、図２に示すように、保持面３８ａと固定面３８ｂとが略直角に連接された略Ｌ字形状の部材であり、ガラス部材３２の裏面側であって各頂点付近に、それぞれ配置される。この固定部材３８は、固定面３８ｂが枠体３６の壁面３６ｂと図示しないねじで固定されることにより枠体３６に固定され、保持面３８ａが第二ガラス板３２ｂの裏面側と当接する。このため、第二ガラス板３２ｂの表面側に緩衝部材３４を配置し、ガラス部材３２を裏面側から表面側に押圧した状態で枠体３６にガラス部材３２を嵌め込むと、ガラス部材３２と上面部３６ａによって緩衝部材３４も押圧される。この状態で、第二ガラス板３２ｂの裏面側に保持面３８ａが当接した状態で、固定面３８ｂを図示しないねじで枠体３６に固定する（図６参照）。こうすることにより、上面部３６ａと固定部材３８とによりガラス部材３２を挟持することができる。このとき、ガラス部材３２の表面側は、緩衝部材３４を介して上面部３６ａと固定部材３８とで挟持されることになるため、ガラス部材３２の表面が破損する可能性を未然に低減することができる。また、緩衝部材３４は弾性を有するため、枠体３６の壁面３６ｂに固定部材３８を固定した後には、ガラス部材３２が固定部材３８に緩衝部材３４の弾性力によって押圧されることになり、上面部３６ａと固定部材３８とで挟持された際、ガラス部材３２がガタつく可能性を未然に低減することができる。
【００２８】
第二ねじ孔３７は、図４及び図５に示すように、上面部３６ａの四隅にそれぞれ設けられており、図５Ａに示すように、内部に設けられた段差面３７ａよりも表面側と裏面側とで直径の異なる二つの孔が合わさった形状である。この第二ねじ孔３７には、段差面３７ａよりも表面側の側面には螺旋溝が設けられている。具体的には、段差面３７ａより表面側の孔の直径は雄ねじ３５の頭部よりも大きく、段差面３７ａより裏面側の孔の直径は、雄ねじ３５が通過可能な直径で形成されている。このため、雄ねじ３５を第二ねじ孔３７に埋入した際には、雄ねじ３５は第二ねじ孔３７と螺合することなく雄ねじ３５の一部が通過し、段差面３７ａが雄ねじ３５の頭を係止することになる。このとき、段差面３７ａから第二ねじ孔３７の表面（上面部３６ａの表面）までの距離が雄ねじ３５の頭の高さよりも高く形成されているため、雄ねじ３５は第二ねじ孔３７に完全に埋入し、表面側に一部が突出することがない。このため、上面部３６ａの表面が平らである印象を与えることができるため、優れた美観を演出することができる。加えて、上面部３６ａと設置面とが略同一平面上に位置するように配置した場合には、設置面から連続的な平面である印象を演出することができるため、優れた美観を演出することができる。加えて、このように配置した場合であっても、雄ねじ３５を外した後、段差面３７ａより表面側の孔に螺合可能なねじを別途第二ねじ孔に螺合することにより、ガラスユニット３０を容易に取り外すことができる。このため、設置面と略同一平面を形成するように配置したとしても、容易に保守管理することができる。
【００２９】
導光部４０はガラスユニット３０の裏面側に位置し、図１及び図３に示すように、導光板４１と、導光板４１の対向する側面側に設けられた光源ユニット５０と、導光板４１及び光源ユニット５０を囲う導光板枠体４６と、裏面側から導光板４１を保持する保持板４８と、からなり、導光板枠体４６の側面側には、後述する位置決め部材６０が固定される。導光板４１は、厚さが約４ｍｍから約８ｍｍであり、略四角形形状の板状に形成された透過性を有するメタクリル樹脂製の板である。この導光板４１の裏面側の主面には、複数の拡散ドット４２（図１１Ａ参照）が設けられている。また光源ユニット５０が設けられていない導光板４１の側面であって略中央位置には、側面側に突出する第一突出部４４が設けられている。この第一突出部４４は、後述する位置決め部材６０に設けられた係合孔６２と係合することで位置決めされる。このように導光板４１及び光源ユニット５０は導光板枠体４６と保持版４８とによって保持されることで、導光部４０の所望の位置に固定される。
【００３０】
拡散ドット４２は、図１１Ａに示すように、略四角錐形状に凹む凹部であり、四角錐の底面に相当する位置が導光板４１の裏面に位置するように設けられている。この四角錐の各辺の長さは、０．６ｍｍ〜１．５ｍｍに設けられ、拡散ドット４２の深さは、０．４ｍｍ〜０．８ｍｍに設けられている。また、隣り合う拡散ドット４２間のピッチは、約１．５ｍｍ〜約８．０ｍｍのピッチに設けられている。なお、図１１を除く図中では拡散ドット４２の記載は省略した。
【００３１】
光源ユニット５０は、図６に示すように、基板５２と、この基板５２に所定の間隔で実装された複数の表面実装型の白色の平面発光型ＬＥＤ５４（以下、「ＬＥＤ５４」と言う。）と、断面が略Ｕ字形状のＣ型鋼５６からなり、Ｃ型鋼５６の凹部の底面に基板５２が両面テープ等で貼着されている。このため、ＬＥＤ５４が使用により発熱した場合であっても、基板５２を介してＣ型鋼５６に熱が伝わり、高温による誤作動や破損の可能性を未然に低減することができる。また、Ｃ型鋼５６の凹部の幅は導光板４１の厚さと略同一又は、やや広く形成されているため、Ｃ型鋼５６の凹部に導光板４１の側面に嵌め込むことにより、容易に光源ユニット５０を導光板４１に取り付けることができる。
【００３２】
反射板２４は、導光板４１と略同一の形状をした不透明白色のプラスチックの板材であり、導光板４１の裏面側に配置され、導光板４１の裏面側に導光された光を導光板４１の表面側に反射する。このため、反射板２４を備えていない場合と比較して、より導光板４１の表面側を明るくすることができる。また、反射板２４の側面であって、略中央位置には側面側に突出する第三突出部２４ａが設けられている。この第三突出部２４ａが、後述する位置決め部材６０に設けられた係合孔６２と係合することで位置決めされる。こうして反射板２４は導光板枠体４６と保持板４８とによって保持されることで、導光部４０の所望の位置に固定される。
【００３３】
収納枠２２は、図１及び図５に示すように、ガラスユニット３０及び導光部４０等を囲う枠体であり、ガラスユニット３０等を収納する。この収納枠２２の内部の四隅には、第一ねじ孔２２ｂを有するねじ取り付け部材２２ａが側面側に固定されている。この第一ねじ孔２２ｂは、第二ねじ孔３７と同軸上であって、収納枠２２にガラスユニット３０が収納された際、第二ねじ孔３７と対向する位置に設けられているため、収納枠２２にガラスユニット３０を収納した状態で雄ねじ３５を第二ねじ孔３７に挿入すると、雄ねじ３５の軸が第二ねじ孔３７を通過して第一ねじ孔２２ｂと螺合する。このとき、第二ねじ孔３７の段差面３７ａが雄ねじ３５の頭を係止することにより、枠体３６が収納枠２２に固定される。こうすることにより、全ての部材を収納枠２２に収納することができる。
【００３４】
乳半板２６は、導光板４１と略同一の形状をした乳半色半透明の樹脂製板であり、ガラスユニット３０と導光部４０との間に配置され、拡散ドット４２で拡散された光を散乱させ、透過する。こうすることにより、拡散ドット４２ａの形状が視認させる可能性を低減し、明るさのムラが生じる可能性を未然に低減することができる。乳半板２６の側面であって、略中央位置には側面側に突出する第二突出部２６ａが設けられている。この第二突出部２６ａが後述する位置決め部材６０に設けられた係合孔６２と係合することにより、乳半板２６が所望の位置に位置決めされ、ガラスユニット３０を収納枠２２に固定することで、乳半板２６が導光部４０とガラスユニット３０とに挟持される。
【００３５】
位置決め部材６０は、図１、図３及び図９に示すように、導光板枠体４６の側面に図示しないビスによって着脱可能に取り付けられる部材である。この位置決め部材６０は、導光板枠体４６に固定された際、下面部３６ｂ側となる面に係合孔６２が、外側となる面に側面側に突出する嵌合部６４が、それぞれ設けられている。反射板２４、乳半板２６、導光板４１を所望の位置に位置決めした状態で位置決め部材６０を導光板枠体４６の側面に固定すると、反射板２４の第三突出部２４ａ、乳半板２６の第二突出部２６ａ及び導光板４１の第一突出部４４がそれぞれ係合孔６２と係合し、導光板枠体４６に位置決めされる。また、位置決め部材６０は、ガラスユニット３０の枠体３６に設けられた切欠部３９に嵌合部６４を嵌合させることにより、ガラスユニット３０、導光部４０及び乳半板２６を所望の位置に固定することができる。
【００３６】
以上詳述した本実施の形態のガラスユニット３０によれば、側面側に段差を有するガラス部材３２と、第二ガラス板３２ｂの表面側に配置された緩衝部材３４とを、上面部３６ａと固定部材３８とで挟持しているため、上面部３６ａの表面と第一ガラス板３２ａの表面との段差を低減することができ、優れた意匠性を有する。
【００３７】
また、上面部３６ａは、緩衝部材３４の表面側全体を覆っており、第一ガラス板３２ａの表面側を覆っていないため、緩衝部材３４が表面側から視認される可能性を低減しつつ、第一ガラス板３２ａの表面と上面部３６ａの表面との段差を低減し、優れた意匠製を有する。
【００３８】
更に、上面部３６ａと固定部材３８とでガラス部材３２を挟持する際、上面部３６ａが緩衝部材３４を押圧し、上面部３６ａの表面と第一ガラス板３２ａの表面とが同一平面上に位置するため、照明装置２０が全体として段差を有しない平坦な印象を与えることができる。
【００３９】
以上詳述した本実施の形態の照明装置２０によれば、側面側に段差を有するガラス部材３２と、第二ガラス板３２ｂの表面側に配置された緩衝部材３４とを、上面部３６ａと固定部材３８とで挟持しているため、導光板４１で拡散した光が第一ガラス板３２ａの表面全体から出射することができ、意匠性に優れ、発光面の広い照明装置を提供することができる。
【００４０】
また、雄ねじ３５が上面部３６ａに設けられた第二ねじ孔３７と螺合することなく第二ねじ孔３７を貫通し、収納枠２２の内部のねじ取付部材２２ａに設けられたねじ孔２２ｂと螺合することでガラスユニット３０と収納枠２２とを固定している。このため、取り外す際には、雄ねじ３５を取り外し、第二ねじ孔３７と螺合するねじを用いることで、ガラスユニット３０を容易に取り外すことができる。
【００４１】
更に、第二ねじ孔３７は、雄ねじ３５の頭を含む全体が埋入可能であるため、上面部３６ａの表面に雄ねじ３５の一部が突出することなく、全体が平坦な印象を演出することができる。
【００４２】
更にまた、導光板４１の側面側に設けられた第一突出部４４と位置決め部材６０の係合孔６２とが係合し、枠体３６に設けられた切欠部３９が位置決め部材６０の嵌合部６４と嵌合することにより、位置決め部材６０によって導光部４０とガラスユニット３０とを容易に位置決めすることができる。
【００４３】
そして、乳半板２６の側面側に設けられた第二突出部２６ａと位置決め部材６０の係合孔６２とが係合することにより、導光板４１を位置決めすると同時に乳半板２６を位置決めすることができるため、乳半板２６を位置決めするために新たな部材や工程を必要としない。
【００４４】
そしてまた、反射板２４の側面側に設けられた第三突出部２４ａと位置決め部材６０の係合孔６２とが係合することにより、導光板４１を位置決めすると同時に反射板２４を位置決めすることができるため、反射板２４を位置決めするために新たな部材や工程を必要としない。
【００４５】
なお、本発明は上述した実施の形態に何ら限定されることはなく、本発明の技術的範囲に属する限り種々の態様で実施し得ることはいうまでもない。
【００４６】
例えば、上述した実施の形態では、第一ガラス板３２ａと第二ガラス板３２ｂとを中間膜３３を介して接着するものとしたが、この中間膜３３には、文字又は図形を含む模様を有していても良い。こうすれば、導光板４１から出射した光が中間膜３３を通過することで、ガラス部材３２から出射する光に所望の模様を演出することができる。なお、中間膜３３は無くとも良い。第一ガラス板３２ａと第二ガラス板３２ｂとを接着剤や粘着剤等で互いに固定することで、上述した実施の形態と同様の効果を得ることができる。
【００４７】
上述した実施の形態では、ガラス部材３２の四方の周囲に段差を有するものとしたが、図１０に示すように、対向する側面に段差を有していても良い。こうすることにより、第一ガラス板３２ａと第二ガラス板３２ｂとのそれぞれを形成する際、四方全ての側面でなく、対向する側面に段差を設ければ良いため、四方に段差を有する場合と比較して、第一ガラス板３２ａを形成する際の労力を低減すると共に、第一ガラス板３２ａと第二ガラス板３２ｂとを形成する際の共通工程を増加することにより作業工程を低減することができる。
【００４８】
上述した実施の形態では、緩衝部材３４は第二ガラス板３２ｂの全面に位置するものとしたが、必ずしも全面に配置される必要は無く、第二ガラス板３２ｂの全面の一部に位置しても良い。このような場合であっても、上面部３６ａと固定部材３８とによってガラス部材３２が固定することができれば、上述した実施の形態と同様の効果を得ることができる。
【００４９】
上述した実施の形態では、固定部材３８が第二ガラス板３２ｂの裏面側の周囲の一部を覆うものとしたが、必ずしも周囲の一部だけ覆う必要は無く、第二ガラス板３２ｂの裏面側の周囲全体を覆っても良い。このような場合であっても、上面部３６ａと固定部材３８とによってガラス部材３２が固定することができれば、上述した実施の形態と同様の効果を得ることができる。
【００５０】
上述した実施の形態では、導光板４１は透過性を有するメタクリル樹脂製の板であるものとしたが、透過性を有する素材であればメタクリル樹脂製に限定されるものでなく、メチルメタクリレートやエチルメタクリレート等のメタクリル樹脂意外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００５１】
上述した実施の形態では、拡散ドット４２は、四角錐形状の凹部であり、拡散ドット４２の各辺の長さが約０．６ｍｍ、深さが約０．４ｍｍであり、隣り合う四角錐型の拡散ドット４２間のピッチが２．０ｍｍに形成されているものとしたが、これに限定されるものではなく、適宜好適なサイズを選択することができる。四角錐型の拡散ドット４２の各辺の長さは、例えば、０．２ｍｍ〜１．５ｍｍで選択してもよい。また、四角錐型の拡散ドット４２の深さは、例えば、０．４ｍｍ〜０．８ｍｍで選択してもよい。更に、隣り合う四角錐型の拡散ドット４２間のピッチは、例えば、１．５ｍｍ〜８．０ｍｍのピッチの間から適宜選択してもよいし、１．５ｍｍ〜３．０ｍｍであってもよい。いずれの場合であっても、上述した実施の形態と同様の効果を得ることができる。
【００５２】
上述した実施の形態では、拡散ドット４２は四角錐形状の凹部であるものとしたが、拡散ドット４２として形成される拡散凹部の形状及び大きさは、特に限定するものではない。適宜様々な形状及び大きさの拡散凹部からなる拡散ドット４２を採用することができる。例えば、図１１Ｂは、円錐側の拡散凹部からなる拡散ドット４２を示している。図１１Ｃは、四角柱型の拡散凹部からなる拡散ドット４２を示している。図１１Ｄは、四角錐台形の拡散凹部からなる拡散ドット４２を示している。図１１Ｅは、半球型の拡散凹部からなる拡散ドット４２を示している。また作製方法としては、超音波加工、加熱加工、レーザー加工、切削加工等種々の加工方法を採用してもよいし、予め凹凸が刻まれた金型を用いて射出成形等の方法を用いてもよい。また、例えば、図１１Ｆに示すように、凸状の膨らんだ拡散凸部であってもよい。拡散凸部は、クリーン印刷やシルク印刷等によって、盛り上がるように（凸状）主面に形成する。また、それぞれの拡散ドット４２の大きさは、同じであっても異なっていても良い。例えば、後方側から上方側に向かって、四角錐型の拡散ドット４２の各辺を徐々に長くしたり、四角錐型の拡散ドット４２の深さを徐々に深くしたりしても良い。こうすれば、ＬＥＤ５４から近く光が強い位置では拡散される光量が小さくなり、ＬＥＤ５４から遠ざかるにつれて拡散される光量が大きくなるため、主面から照射される光の光量を均一に近づけることができる。
【００５３】
上述した実施の形態では、ＬＥＤ５４は、平面発光型の白色の発光ダイオードとしたが、平面発光型に限定されるものでなく、側面発光型、砲弾型等いずれのタイプであってもよい。また、ＬＥＤ５４の光の色は、白色に限定するものではなく、例えば、赤色、橙色、黄色、緑色、青色、藍色又は紫色のいずれかの色若しくはそれらの色の組み合わせ等であってもよい。いずれの場合であっても、上述した実施の形態と同様の効果が得られる。
【００５４】
上述した実施の形態では、反射板２４を設けるものとしたが、反射板２４を設けなくとも良い。このような場合であっても、表面側に十分な光量が得られるだけのＬＥＤ５４を配置することで、上述した実施の形態と同様の効果が得られる。
【００５５】
上述した実施の形態では、乳半板２６を設けるものとしたが、乳半板２６は設けなくとも良い。このような場合であっても、例えば、中間膜３３にシボ加工等を施すことにより、主面全体の光のムラを低減することができる。
【産業上の利用可能性】
【００５６】
上述した実施の形態で示すように、照明分野、特に意匠性の優れた面発光照明装置として利用することができる。
【符号の説明】
【００５７】
２０…照明装置、２２…収納枠、２２ａ…ねじ取り付け部材、２２ｂ…第一ねじ孔、
２４…反射板、２４ａ…第三突出部、２６…乳半板、２６ａ…第二突出部、
３０…ガラスユニット、３２…ガラス部材、３２ａ…第一ガラス板、
３２ｂ…第二ガラス板、３３…中間膜、３４…緩衝部材、３５…雄ねじ、
３６…枠体、３６ａ…上面部、３６ｂ…壁面、３７…第二ねじ孔、３７ａ…段差面、
３８…固定部材、３８ａ…保持面、３８ｂ…固定面、
３９…切欠部、４０…導光板、４２…拡散ドット、４４…第一突出部、
４６…導光板枠体、４８…保持板、５０…光源ユニット、５２…基板、
５４…平面発光型ＬＥＤ、５６…Ｃ型鋼、６０…位置決め部材、
６２…係合孔、６４…嵌合部。
【図１】
2015167091.tif 000003
【図２】
2015167091.tif 000004
【図３】
2015167091.tif 000005
【図４】
2015167091.tif 000006
【図５】
2015167091.tif 000007
【図６】
2015167091.tif 000008
【図７】
2015167091.tif 000009
【図８】
2015167091.tif 000010
【図９】
2015167091.tif 000011
【図１０】
2015167091.tif 000012
【図１１】
2015167091.tif 000013